(57)【要約】【課題】火災発生時に高温状態となった場合にも弾性係合片と取付溝部との係合状態を維持すること。【解決手段】躯体Ｂに取り付けた上枠１１の取付溝部１１ａに面格子３０の収容壁部３３ｂ，３３ｃを挿入し、取付溝部１１ａの対向する内壁面に対してそれぞれ収容壁部３３ｂ，３３ｃの弾性係合片３３ｅ，３３ｆを係合させることにより、上枠１１を介して面格子３０を躯体Ｂに取り付けるようにした取付構造であって、収容壁部３３ｂの下面に、加熱した場合に膨張する加熱膨張材４０を配設し、加熱膨張材４０が膨張した場合に弾性係合片３３ｅ，３３ｆを取付溝部１１ａの内壁面に押し付けた状態に維持した。【選択図】図４−２
2016108836.tif 000002
【特許請求の範囲】
【請求項１】
躯体に取り付けたベースの取付溝部に室外装備品の取付部を挿入し、前記取付溝部の対向する内壁面に対してそれぞれ前記取付部の弾性係合片を係合させることにより、前記ベースを介して前記室外装備品を前記躯体に取り付けるようにした室外装備品の取付構造であって、
前記取付部において前記取付溝部に連通する部位に、加熱した場合に膨張する加熱膨張材を配設したことを特徴とする室外装備品の取付構造。
【請求項２】
建具の左右方向に沿って配置される枠に前記取付溝部を形成し、かつ前記枠の長手方向に沿った全長に前記加熱膨張材を配設したことを特徴とする請求項１に記載の室外装備品の取付構造。
【請求項３】
建具の枠を、金属製の金属枠部分と樹脂製の樹脂枠部分とを見込み方向に沿って並設することにより構成し、かつ前記金属枠部分に前記取付溝部が形成してあり、
前記取付部は少なくとも前記弾性係合片が金属製であり、かつ金属製の部分に前記加熱膨張材を配設したことを特徴とする請求項１に記載の室外装備品の取付構造。
【請求項４】
前記取付部には、前記弾性係合片の間となる部位に収容空間を有し、前記収容空間に前記加熱膨張材を配設したことを特徴とする請求項２または請求項３に記載の室外装備品の取付構造。
【請求項５】
前記取付部の収容空間を構成する上壁の下面に前記加熱膨張材を配設したことを特徴とする請求項４に記載の室外装備品の取付構造。
【請求項６】
前記取付部の収容空間において前記取付溝部に対向し、かつ上下方向に沿って延在する内壁面に前記加熱膨張材を配設したことを特徴とする請求項４に記載の室外装備品の取付構造。
【請求項７】
請求項２〜請求項６のいずれか一つに記載の取付構造を適用して枠に室外装備品を取り付けたことを特徴とする建具。
【発明の詳細な説明】
【技術分野】
【０００１】
本発明は、面格子や庇等のように室外側に設置される室外装備品の取付構造及び建具に関するものである。
【背景技術】
【０００２】
建具には、枠の室外側となる部位に面格子や庇等の装備品を取り付けることができるように構成されたものがある。例えば、特許文献１に記載されたものでは、建具の枠において室外側の見付け面に取付溝部が設けられ、一方、面格子に取付部が設けられている。取付溝部は、枠の長手方向に沿って形成されたもので、上下の内壁面にそれぞれ枠側係合爪が互いに対向する向きに設けられている。取付部には、枠の取付溝部に挿入することができるように一対の弾性係合片が設けられている。弾性係合片には、それぞれ取付溝部の枠側係合爪に係合することができるように取付側係合爪が設けられている。
【０００３】
この取付構造においては、枠の取付溝部に取付部の弾性係合片を挿入し、弾性係合片の取付側係合爪を枠側係合爪に係合させれば、取付部が枠に支持されることになり、取付部を介して面格子を枠に取り付けることが可能となる。
【先行技術文献】
【特許文献】
【０００４】
【特許文献１】特開２００３−３３６４６４号公報
【発明の概要】
【発明が解決しようとする課題】
【０００５】
ところで、上記のような取付構造にあっては、例えば室外で火災が発生した場合、面格子の取付部や枠が直接火炎に曝されるため、これら取付部や枠が高温状態となって熱変形し、弾性係合片と取付溝部との係合状態を維持することができない事態が発生し得る。
【０００６】
本発明は、上記実情に鑑みて、火災発生時に高温状態となった場合にも弾性係合片と取付溝部との係合状態を維持することのできる室外装備品の取付構造及び建具を提供することを目的とする。
【課題を解決するための手段】
【０００７】
上記目的を達成するため、本発明に係る室外装備品の取付構造は、躯体に取り付けたベースの取付溝部に室外装備品の取付部を挿入し、前記取付溝部の対向する内壁面に対してそれぞれ前記取付部の弾性係合片を係合させることにより、前記ベースを介して前記室外装備品を前記躯体に取り付けるようにした室外装備品の取付構造であって、前記取付部において前記取付溝部に連通する部位に、加熱した場合に膨張する加熱膨張材を配設したことを特徴とする。
【０００８】
この発明によれば、火災発生時に高温状態となった場合、加熱膨張材が膨張することにより、ベースや室外装備品の変形を抑制し、かつ弾性係合片を取付溝部の内壁面に押し付けた状態に保持することができ、弾性係合片と取付溝部との係合状態を維持することが可能となる。
【０００９】
また本発明は、上述した室外装備品の取付構造において、建具の左右方向に沿って配置される枠に前記取付溝部を形成し、かつ前記枠の長手方向に沿った全長に前記加熱膨張材を配設したことを特徴とする。
【００１０】
この発明によれば、枠の全長にわたる部位において弾性係合片を取付溝部の内壁面に押し付けた状態に保持することができる。
【００１１】
また本発明は、上述した室外装備品の取付構造において、建具の枠を、金属製の金属枠部分と樹脂製の樹脂枠部分とを見込み方向に沿って並設することにより構成し、かつ前記金属枠部分に前記取付溝部が形成してあり、前記取付部は少なくとも前記弾性係合片が金属製であり、かつ金属製の部分に前記加熱膨張材を配設したことを特徴とする。
【００１２】
この発明によれば、金属枠部分と樹脂枠部分とによって構成した枠においても、火災発生時に取付溝部と弾性係合片との係合状態を維持することが可能となる。
【００１３】
また本発明は、上述した室外装備品の取付構造において、前記取付部には、前記弾性係合片の間となる部位に収容空間を有し、前記収容空間に前記加熱膨張材を配設したことを特徴とする。
【００１４】
この発明によれば、収容空間に配設した加熱膨張材によってベースや室外装備品の変形を抑制し、かつ弾性係合片を取付溝部の内壁面に押し付けた状態に保持することができ、弾性係合片と取付溝部との係合状態を維持することが可能となる。
【００１５】
また本発明は、上述した室外装備品の取付構造において、前記取付部の収容空間を構成する上壁の下面に前記加熱膨張材を配設したことを特徴とする。
【００１６】
この発明によれば、収容空間を構成する上壁の下面に加熱膨張材を配設しているため、弾性係合片と取付溝部との係合部に雨水が浸入した場合にも加熱膨張材が水濡れの影響を受けるおそれがない。
【００１７】
また本発明は、上述した室外装備品の取付構造において、前記取付部の収容空間において前記取付溝部に対向し、かつ上下方向に沿って延在する内壁面に前記加熱膨張材を配設したことを特徴とする。
【００１８】
この発明によれば、収容空間において上下方向に沿った内壁面に加熱膨張材を配設しているため、弾性係合片と取付溝部との係合部に雨水が浸入した場合にも加熱膨張材が水濡れの影響を受けるおそれがない。
【００１９】
また、本発明に係る建具は、上述したいずれか一つに記載の取付構造を適用して枠に室外装備品を取り付けたことを特徴とする。
【００２０】
この発明によれば、火災発生時に高温状態となった場合、加熱膨張材が膨張することにより、ベースや室外装備品の変形を抑制し、かつ弾性係合片を取付溝部の内壁面に押し付けた状態に保持することができ、弾性係合片と取付溝部との係合状態を維持することが可能となる。
【発明の効果】
【００２１】
本発明によれば、火災発生時に高温状態となった場合、加熱膨張材が膨張することにより、ベースや室外装備品の変形を抑制し、かつ弾性係合片を取付溝部の内壁面に押し付けた状態に保持することができ、弾性係合片と取付溝部との係合状態を維持することが可能となる。
【図面の簡単な説明】
【００２２】
【図１】図１は、本発明の実施の形態である取付構造を適用した建具を室外側から見た図である。
【図２】図２は、図１に示した建具の縦断面図である。
【図３】図３は、図１に示した建具の横断面図である。
【図４−１】図４−１は、図１に示した建具の要部を拡大した縦断面図である。
【図４−２】図４−２は、図１に示した建具において加熱膨張材が膨張した場合の状態を示す要部拡大縦断面図である。
【図５】図５は、図１に示した建具の面格子を取り付ける状態を示す分解斜視図である。
【図６】図６は、本発明の変形例１を示す要部拡大縦断面図である。
【図７】図７は、本発明の変形例２を示す要部拡大縦断面図である。
【図８】図８は、本発明の変形例３を示す要部拡大縦断面図である。
【発明を実施するための形態】
【００２３】
以下、添付図面を参照しながら本発明に係る室外装備品の取付構造の好適な実施の形態について詳細に説明する。
【００２４】
図１〜図３は、本発明の実施の形態である室外装備品の取付構造を適用した建具を示したものである。ここで例示する建具は、開口枠１０に２枚の障子２０を備え、それぞれの障子２０が左右にスライドすることにより、開口枠１０の開口を開閉するようにした引き違い窓である。
【００２５】
開口枠１０は、上枠１１、下枠１２及び左右の縦枠１３を四周枠組みすることによって矩形状に構成したものである。上枠１１、下枠１２及び縦枠１３は、それぞれアルミニウムやアルミニウム合金によって成形した押し出し形材からなる金属枠部分１１Ａ，１２Ａ，１３Ａと、樹脂によって成形した押し出し形材からなる樹脂枠部分１１Ｂ，１２Ｂ，１３Ｂとを有して構成したものである。金属枠部分１１Ａ，１２Ａ，１３Ａ及び樹脂枠部分１１Ｂ，１２Ｂ，１３Ｂは、見込み方向に並設し、かつ金属枠部分１１Ａ，１２Ａ，１３Ａを室外側に配置した状態で躯体Ｂに取り付けてある。
【００２６】
２枚の障子２０は、いずれも矩形状を成すガラス２１の四周に上框２２、下框２３及び左右の縦框２４を装着することによって構成したものである。本実施の形態では、左右の縦框２４の間に上框２２及び下框２３を配設するようにした障子２０を示している。上框２２、下框２３及び縦框２４は、それぞれアルミニウムやアルミニウム合金によって成形した押し出し形材からなる金属框部分２２Ａ，２３Ａ，２４Ａと、樹脂によって成形した押し出し形材からなる樹脂框部分２２Ｂ，２３Ｂ，２４Ｂとを有したものである。これら金属框部分２２Ａ，２３Ａ，２４Ａ及び樹脂框部分２２Ｂ，２３Ｂ，２４Ｂは、見込み方向に並設した状態で互いに係合し、金属框部分２２Ａ，２３Ａ，２４Ａを室外側に配置して障子２０の框を構成している。これらの障子２０は、互いに一方の縦框２４を重ね合わせた状態で左右に並設した場合に開口枠１０を閉じることのできる大きさに形成してある。尚、室外側に位置する障子２０において室内側の障子２０の縦框２４に重ね合わされる縦框２４については、金属框部分２４Ａのみによって構成してある。
【００２７】
この建具には、開口枠１０の室外側となる部位に面格子（室外装備品）３０が設けてある。面格子３０は、矩形状を成し、内部に傾斜する複数の桟３２を備えた格子枠３１と、格子枠３１を開口枠１０に取り付けるためのアタッチメント３３とを備えたもので、アタッチメント３３を介して開口枠１０に取り付けてある。本実施の形態では、格子枠３１において室内側に臨む見付け面の上縁部及び下縁部にそれぞれアタッチメント３３が設けてあり、これらのアタッチメント３３を介して開口枠１０の上枠１１及び下枠１２に格子枠３１を取り付けるようにした面格子３０を例示している。
【００２８】
アタッチメント３３は、アルミニウムやアルミニウム合金によって成形した押し出し形材からなるもので、上枠１１及び下枠１２とほぼ同じ長さを有した中空の角筒部３３ａと、角筒部３３ａの室内側に臨む見付け面に設けた上下の収容壁部（取付部）３３ｂ，３３ｃとを一体に成形してある。収容壁部３３ｂ，３３ｃは、室内側に向けてほぼ水平となるように突出したヒレ状部分であり、互いの間に収容空間３３ｄを構成している。収容空間３３ｄは、室内側に向けて開口する一連の空所である。この収容空間３３ｄには、上方の収容壁部３３ｂの下面に加熱膨張材４０が配設してある。加熱膨張材４０は、膨張黒鉛等のように、２００℃程度に加熱された場合に膨張する不燃材であり、帯状に構成したものがアタッチメント３３の長手方向に沿った全長に配設してある。
【００２９】
また、アタッチメント３３には、上下の収容壁部３３ｂ，３３ｃの先端部にそれぞれ弾性係合片３３ｅ，３３ｆが設けてある。弾性係合片３３ｅ，３３ｆは、収容壁部３３ｂ，３３ｃの互いに対向する内壁面から内方に突出した後、室内側に向けて屈曲したもので、個々の先端部に取付側係合爪３３ｇ，３３ｈを有している。取付側係合爪３３ｇ，３３ｈは、弾性係合片３３ｅ，３３ｆの先端部において互いに外側となる面から突出した部分である。図４−１からも明らかなように、角筒部３３ａの下方に設けた収容壁部３３ｃは、上方に設けた収容壁部３３ｂよりも室内側に突出しており、上方の弾性係合片３３ｅに対向する部位に押圧ネジ３４を備えている。押圧ネジ３４は、上方に向けて螺合させた場合に軸部の先端面が上方の弾性係合片３３ｅに当接することのできる長さを有したものである。
【００３０】
一方、面格子３０が取り付けられる開口枠１０の上枠１１及び下枠１２には、図２に示すように、それぞれの金属枠部分１１Ａ，１２Ａにおいて最も室外側に配置される部位に取付溝部１１ａ，１２ａが設けてある。取付溝部１１ａ，１２ａは、図４−１に示すように、室外側に向けて突出した上方の取付ヒレ部１１ｂ（１２ｂ）と下方の取付ヒレ部１１ｃ（１２ｃ）との間に構成される空所であり、それぞれの枠１１，１２の長手方向に沿った全長にわたる部位に設けてある。上下の取付ヒレ部１１ｂ（１２ｂ），１１ｃ（１２ｃ）の相互間隔は、アタッチメント３３に設けた上下の弾性係合片３３ｅ，３３ｆを互いの間に挿入することのできる寸法に設定してある。それぞれ取付ヒレ部１１ｂ（１２ｂ），１１ｃ（１２ｃ）には、突出端部に枠側係合爪１１ｄ（１２ｄ），１１ｅ（１２ｅ）が設けてある。枠側係合爪１１ｄ（１２ｄ），１１ｅ（１２ｅ）は、取付ヒレ部１１ｂ（１２ｂ），１１ｃ（１２ｃ）の先端部を互いに内方に向けてほぼ直角に屈曲することにより構成したものである。図からも明らかなように、取付溝部１１ａ，１２ａは、上方の取付ヒレ部１１ｂ（１２ｂ）が下方の取付ヒレ部１１ｃ（１２ｃ）よりも室外側に突出するように形成してあり、上下の取付ヒレ部１１ｂ（１２ｂ），１１ｃ（１２ｃ）の間にアタッチメント３３の弾性係合片３３ｅ，３３ｆを挿入した場合、アタッチメント３３が枠１１，１２からほぼ水平に突出した姿勢で、それぞれの取付側係合爪３３ｇ，３３ｈが枠側係合爪１１ｄ（１２ｄ），１１ｅ（１２ｅ）に係合するように構成してある。
【００３１】
この建具では、アタッチメント３３の弾性係合片３３ｅ，３３ｆを上枠１１及び下枠１２の取付溝部１１ａ，１２ａに挿入し、弾性係合片３３ｅ，３３ｆの取付側係合爪３３ｇ，３３ｈをそれぞれ取付溝部１１ａ，１２ａの枠側係合爪１１ｄ（１２ｄ），１１ｅ（１２ｅ）に係合させれば、アタッチメント３３を上枠１１及び下枠１２にそれぞれ保持させることができる。さらに、この状態から、アタッチメント３３の下方に設けた収容壁部３３ｃの押圧ネジ３４を螺合させれば、アタッチメント３３の弾性係合片３３ｅ，３３ｆがそれぞれ取付溝部１１ａ，１２ａの取付ヒレ部１１ｂ（１２ｂ），１１ｃ（１２ｃ）に押圧された状態に保持されることになり、アタッチメント３３の上枠１１及び下枠１２からの脱落が防止される。
【００３２】
この状態から、図５に示すように、アタッチメント３３の両端部に取付ブラケット３５を固定し、さらにこの取付ブラケット３５に格子枠３１をネジ止めすれば、建具の開口枠１０に面格子３０を取り付けることができる。しかも、この建具においては、例えば室外で火災が発生し、アタッチメント３３や枠が２００℃程度の高温状態となった場合、つまりアタッチメント３３や枠１１，１２に熱変形を来す以前の高温状態となった場合に加熱膨張材４０が膨張し、図４−２に示すように、取付溝部１１ａ，１２ａの内部及びアタッチメント３３の収容空間３３ｄに充填されることになる。この結果、弾性係合片３３ｅ，３３ｆが取付溝部１１ａ，１２ａの内壁面に押し付けられるとともに、この状態でアタッチメント３３や枠１１，１２の熱変形が抑えられるようになる。従って、弾性係合片３３ｅ，３３ｆと取付溝部１１ａ，１２ａとの係合状態が上枠１１及び下枠１２の全長にわたる部位において維持されることになり、面格子３０が脱落する等の問題を招来するおそれがない。
【００３３】
さらに、収容空間３３ｄを構成する上方の収容壁部３３ｂにおいて下面となる部位に加熱膨張材４０が配設してある。従って、仮にアタッチメント３３と取付溝部１１ａ，１２ａとの隙間から雨水が浸入したとしても加熱膨張材４０が水濡れの影響を受けることがなく、２００℃程度に加熱された場合に確実に膨張するようになり、信頼性の点で有利となる。
【００３４】
尚、上述した実施の形態では、開口枠１０に面格子３０を取り付けるようにした取付構造を例示しているが、室外装備品としては必ずしも面格子３０に限らない。例えば図６に示す変形例１のように、実施の形態１の上枠１１に対して庇部材（室外装備品）５０を取り付けるものに適用しても良いし、図７に示す変形例２のように、実施の形態１の上枠１１に対してカバー部材（室外装備品）６０を取り付けるものに適用しても良い。また、図８に示す変形例３のように、実施の形態１の下枠１２に対して水切部材（室外装備品）７０を取り付けるものに適用することも可能である。以下、それぞれの変形例について説明を行う。尚、以下の変形例において実施の形態１と同様の構成については、同一の符号を付して詳細説明を省略する。
【００３５】
（変形例１）
図６に示す変形例１の庇部材５０は、アルミニウムやアルミニウム合金によって成形した押し出し形材からなるもので、上枠１１とほぼ同じ長さを有した横長中空の台形筒部５０ａと、台形筒部５０ａの室内側に臨む見付け面に設けた上下の収容壁部（取付部）５０ｂ，５０ｃとを一体に成形してある。収容壁部５０ｂ，５０ｃは、室内側に向けてほぼ水平となるように突出したヒレ状部分であり、互いの間に収容空間５０ｄを構成している。収容空間５０ｄは、室内側に向けて開口する一連の空所である。この収容空間５０ｄには、台形筒部５０ａの上下に延在する側壁に加熱膨張材４０が配設してある。加熱膨張材４０は、膨張黒鉛等のように、２００℃程度に加熱された場合に膨張する不燃材であり、帯状に構成したものが庇部材５０の長手方向に沿った全長に配設してある。
【００３６】
また、庇部材５０には、上下の収容壁部５０ｂ，５０ｃの先端部にそれぞれ弾性係合片５０ｅ，５０ｆが設けてある。弾性係合片５０ｅ，５０ｆは、収容壁部５０ｂ，５０ｃの互いに対向する内壁面から内方に突出した後、室内側に向けて屈曲したもので、個々の先端部に取付側係合爪５０ｇ，５０ｈを有している。取付側係合爪５０ｇ，５０ｈは、弾性係合片５０ｅ，５０ｆの先端部において互いに外側となる面から突出した部分である。図からも明らかなように、台形筒部５０ａの下方に設けた収容壁部５０ｃは、上方に設けた収容壁部５０ｂよりも室内側に突出しており、上方の弾性係合片５０ｅに対向する部位に押圧ネジ３４を備えている。押圧ネジ３４は、上方に向けて螺合させた場合に軸部の先端面が上方の弾性係合片５０ｅに当接することのできる長さを有したものである。
【００３７】
この建具では、庇部材５０の弾性係合片５０ｅ，５０ｆを上枠１１の取付溝部１１ａに挿入し、弾性係合片５０ｅ，５０ｆの取付側係合爪５０ｇ，５０ｈをそれぞれ取付溝部１１ａの枠側係合爪１１ｄ，１１ｅに係合させれば、庇部材５０を上枠１１に保持させることができる。さらに、この状態から、庇部材５０の下方に設けた取付ヒレ部１１ｂ，１１ｃの押圧ネジ３４を螺合させれば、庇部材５０の弾性係合片５０ｅ，５０ｆが取付溝部１１ａの取付ヒレ部１１ｂ，１１ｃに押圧された状態に保持されることになり、庇部材５０の上枠１１からの脱落が防止される。
【００３８】
この建具においては、例えば室外で火災が発生し、庇部材５０や上枠１１が２００℃程度の高温状態となった場合、つまり庇部材５０や上枠１１に熱変形を来す以前の高温状態となった場合に加熱膨張材４０が膨張し、取付溝部１１ａの内部及び庇部材５０の収容空間５０ｄに充填されることになる。この結果、弾性係合片５０ｅ，５０ｆが取付溝部１１ａの内壁面に押し付けられるとともに、この状態で庇部材５０や上枠１１の熱変形が抑えられるようになる。従って、弾性係合片５０ｅ，５０ｆと取付溝部１１ａとの係合状態が上枠１１の全長にわたる部位において維持されることになり、庇部材５０が脱落する等の問題を招来するおそれがない。
【００３９】
さらに、収容空間５０ｄを構成する台形筒部５０ａの側壁に加熱膨張材４０が配設してある。従って、仮に庇部材５０と取付溝部１１ａとの隙間から雨水が浸入したとしても加熱膨張材４０が水濡れの影響を受けることがなく、２００℃程度に加熱された場合に確実に膨張するようになり、信頼性の点で有利となる。
【００４０】
（変形例２）
図に示す変形例２のカバー部材６０は、アルミニウムやアルミニウム合金によって成形した押し出し形材からなるもので、上枠１１とほぼ同じ長さを有した横長の基板部６０ａと、基板部６０ａの室内側に臨む見付け面に設けた上下の収容壁部（取付部）６０ｂ，６０ｃとを一体に成形してある。収容壁部６０ｂ，６０ｃは、室内側に向けてほぼ水平となるように突出したヒレ状部分であり、互いの間に収容空間６０ｄを構成している。収容空間６０ｄは、室内側に向けて開口する一連の空所である。この収容空間６０ｄには、基板部６０ａに加熱膨張材４０が配設してある。加熱膨張材４０は、膨張黒鉛等のように、２００℃程度に加熱された場合に膨張する不燃材であり、帯状に構成したものがカバー部材６０の長手方向に沿った全長に配設してある。
【００４１】
また、カバー部材６０には、上下の収容壁部６０ｂ，６０ｃの先端部にそれぞれ弾性係合片６０ｅ，６０ｆが設けてある。弾性係合片６０ｅ，６０ｆは、収容壁部６０ｂ，６０ｃの互いに対向する内壁面から内方に突出した後、室内側に向けて屈曲したもので、個々の先端部に取付側係合爪６０ｇ，６０ｈを有している。取付側係合爪６０ｇ，６０ｈは、弾性係合片６０ｅ，６０ｆの先端部において互いに外側となる面から突出した部分である。図からも明らかなように、基板部６０ａの下方に設けた収容壁部６０ｃは、上方に設けた収容壁部６０ｂよりも室内側に突出している。
【００４２】
この建具では、カバー部材６０の弾性係合片６０ｅ，６０ｆを上枠１１の取付溝部１１ａに挿入し、弾性係合片６０ｅ，６０ｆの取付側係合爪６０ｇ，６０ｈをそれぞれ取付溝部１１ａの枠側係合爪１１ｄ，１１ｅに係合させれば、カバー部材６０を上枠１１に保持させることができる。この建具においては、例えば室外で火災が発生し、カバー部材６０や上枠１１が２００℃程度の高温状態となった場合、つまりカバー部材６０や上枠１１に熱変形を来す以前の高温状態となった場合に加熱膨張材４０が膨張し、取付溝部１１ａの内部及びカバー部材６０の収容空間６０ｄに充填されることになる。この結果、弾性係合片６０ｅ，６０ｆが取付溝部１１ａの内壁面に押し付けられるとともに、この状態でカバー部材６０や上枠１１の熱変形が抑えられるようになる。従って、弾性係合片６０ｅ，６０ｆと取付溝部１１ａとの係合状態が上枠１１の全長にわたる部位において維持されることになり、カバー部材６０が脱落する等の問題を招来するおそれがない。
【００４３】
さらに、収容空間６０ｄを構成する基板部６０ａに加熱膨張材４０が配設してある。従って、仮にカバー部材６０と取付溝部１１ａとの隙間から雨水が浸入したとしても加熱膨張材４０が水濡れの影響を受けることがなく、２００℃程度に加熱された場合に確実に膨張するようになり、信頼性の点で有利となる。
【００４４】
（変形例３）
図８に示す変形例３の水切部材７０は、アルミニウムやアルミニウム合金によって成形した押し出し形材からなるもので、下枠１２とほぼ同じ長さを有した中空の筒部７０ａと、筒部７０ａの室内側に臨む見付け面に設けた上下の収容壁部（取付部）７０ｂ，７０ｃとを一体に成形してある。筒部７０ａは、底壁７０ｄの一側縁に立壁７０ｅを有し、かつ底壁７０ｄの他側縁と立壁７０ｅの上縁との間が上方に凸となるように湾曲した水切り壁７０ｆによって連続したものである。収容壁部７０ｂ，７０ｃは、室内側に向けてほぼ水平となるように突出したヒレ状部分であり、互いの間に収容空間７０ｇを構成している。収容空間７０ｇは、室内側に向けて開口する一連の空所である。この収容空間７０ｇには、筒部７０ａの立壁７０ｅに加熱膨張材４０が配設してある。加熱膨張材４０は、膨張黒鉛等のように、２００℃程度に加熱された場合に膨張する不燃材であり、帯状に構成したものが水切部材７０の長手方向に沿った全長に配設してある。
【００４５】
また、水切部材７０には、上下の収容壁部７０ｂ，７０ｃの先端部にそれぞれ弾性係合片７０ｈ，７０ｉが設けてある。下方の収容壁部７０ｃに形成した弾性係合片７０ｉは、収容壁部７０ｃの内壁面から内方に突出した後、室内側に向けて屈曲したもので、先端部に取付側係合爪７０ｋを有している。上方の収容壁部７０ｂに形成した弾性係合片７０ｈは、収容壁部７０ｂから室内側に向けて延在したもので、先端部に取付側係合爪７０ｊを有している。取付側係合爪７０ｊ，７０ｋは、弾性係合片７０ｈ，７０ｉの先端部において互いに外側となる面から突出した部分である。図からも明らかなように、筒部７０ａの下方に設けた収容壁部７０ｃは、上方に設けた収容壁部７０ｂよりも室内側に突出している。
【００４６】
この建具では、水切部材７０の弾性係合片７０ｈ，７０ｉを下枠１２の取付溝部１２ａに挿入し、弾性係合片７０ｈ，７０ｉの取付側係合爪７０ｊ，７０ｋをそれぞれ取付溝部１２ａの枠側係合爪１２ｄ，１２ｅに係合させれば、水切部材７０を下枠１２に保持させることができる。この建具においては、例えば室外で火災が発生し、水切部材７０や下枠１２が２００℃程度の高温状態となった場合、つまり水切部材７０や下枠１２に熱変形を来す以前の高温状態となった場合に加熱膨張材４０が膨張し、取付溝部１２ａの内部及び水切部材７０の収容空間７０ｇに充填されることになる。この結果、弾性係合片７０ｈ，７０ｉが取付溝部１２ａの内壁面に押し付けられるとともに、この状態で水切部材７０や下枠１２の熱変形が抑えられるようになる。従って、弾性係合片７０ｈ，７０ｉと取付溝部１２ａとの係合状態が下枠１２の全長にわたる部位において維持されることになり、水切部材７０が脱落する等の問題を招来するおそれがない。
【００４７】
さらに、収容空間７０ｇを構成する筒部７０ａの立壁７０ｅに加熱膨張材４０が配設してある。従って、仮に水切部材７０と取付溝部１２ａとの隙間から雨水が浸入したとしても加熱膨張材４０が水濡れの影響を受けることがなく、２００℃程度に加熱された場合に確実に膨張するようになり、信頼性の点で有利となる。
【００４８】
尚、上述した実施の形態及び変形例１〜変形例３では、建具の上枠１１や下枠１２に室外装備品３０，５０，６０，７０を取り付けるものを例示しているが、必ずしも上枠１１や下枠１２に取り付けるものに限らず、縦枠１３に取り付けるものであっても適用することが可能である。また、必ずしも開口枠１０に取り付ける必要はなく、専用のベースを躯体Ｂに取り付けるようにして、このベースに室外装備品を取り付けるようにしても良い。
【００４９】
また、上述した実施の形態及び変形例１〜変形例３では、収容空間を構成する上壁の下面や上下に延在する内壁面に加熱膨張材４０を配設するようにしているが、底壁の上面に配設しても良いし、弾性係合片３３ｅ，３３ｆ，５０ｅ，５０ｆ，６０ｅ，６０ｆ，７０ｈ，７０ｉに配設しても構わない。
【符号の説明】
【００５０】
１０  開口枠、１１，１２，１３  枠、１１Ａ，１２Ａ，１３Ａ  金属枠部分、１１Ｂ，１２Ｂ，１３Ｂ  樹脂枠部分、１１ａ，１２ａ  取付溝部、３０  面格子、３３  アタッチメント、３３ｂ，３３ｃ  収容壁部、３３ｄ  収容空間、３３ｅ，３３ｆ  弾性係合片、４０  加熱膨張材、５０  庇部材、５０ｂ，５０ｃ  収容壁部、５０ｄ  収容空間、５０ｅ，５０ｆ  弾性係合片、６０  カバー部材、６０ｂ，６０ｃ  収容壁部、６０ｄ  収容空間、６０ｅ，６０ｆ  弾性係合片、７０  水切部材、７０ｂ，７０ｃ  収容壁部、７０ｇ  収容空間、７０ｈ，７０ｉ  弾性係合片、Ｂ  躯体
【図１】
2016108836.tif 000003
【図２】
2016108836.tif 000004
【図３】
2016108836.tif 000005
【図４−１】
2016108836.tif 000006
【図４−２】
2016108836.tif 000007
【図５】
2016108836.tif 000008
【図６】
2016108836.tif 000009
【図７】
2016108836.tif 000010
【図８】
2016108836.tif 000011